(57)【要約】ｃｄｍａ２０００通信システムにおいて適応マルチレート（ＡＭＲ）コード化データをサポートする技術である。スピーチ情報（種々のレートの）、沈黙記述子（ＳＩＤ）（種々のタイプの）、およびブランクフレームに対していくつかのＡＭＲモードが規定されている。スピーチおよびＳＩＤデータは、ｃｄｍａ２０００通信システムにより規定されたフレームフォーマットに従ったフレームで供給される。各ＡＭＲフレームに対してＣＲＣが使用される（たとえば、スピーチに対して１２ビットＣＲＣ、ＳＩＤに対して８ビットＣＲＣ）。ＡＭＲデータおよびＣＲＣビットは通常のエンコーダによりさらに符号化される。ブラインドレート検出は、送信されたＡＭＲフレームのフレームレートを検出するために使用される。ブラインドレート検出をサポートするために、ＣＲＣ発生器に供給されるビットの数は、検出されるべき各ブラインドレートに対して異なる。２以上のブラインドレートが同じビット数（ＳＩＤに対するような）を有している場合、これらのレートを区別するためにフォーマットビットが適用される。【選択図】図３
2004500765.tif 000002
【特許請求の範囲】
【請求項１】
無線通信システムにおける適応マルチレート（ＡＭＲ）スピーチコーダに関連したデータビットの送信方法において、
ＡＭＲスピーチコーダに関連した複数のデータビットを受信し、
その複数のデータビットに対する複数のフレーム品質インジケータビットを発生し、
その複数のデータビットとその複数のフレーム品質インジケータビットとを含んでおり、通信システムにより規定された特定のフレームフォーマットに従ってフォーマット化されたフレームを形成し、
そのフォーマット化されたフレームの表示を送信するステップを含んでいる方法。
【請求項２】
フォーマット化されたフレームを特定のエンコーダにより符号化して、符号化されたフレームを発生するステップをさらに含んでいる請求項１記載の方法。
【請求項３】
符号化されたフレームを特定のレート整合アルゴリズムにしたがってレート整合するステップをさらに含んでいる請求項２記載の方法。
【請求項４】
複数のフレーム品質インジケータビットは、複数の巡回冗長検査（ＣＲＣ）ビットを含んでいる請求項１記載の方法。
【請求項５】
複数のフレーム品質インジケータビットは８ビットＣＲＣ値または１２ビットＣＲＣ値を含んでいる請求項４記載の方法。
【請求項６】
フォーマット化されたフレームは、複数の可能なフレームレートの１つと関連している請求項１記載の方法。
【請求項７】
複数の可能なフレームレートは、スピーチ情報に対して使用される４つのフレームレートと、沈黙記述子（ＳＩＤ）に対して使用される１つのフレームレートと、およびブランクフレームに対して使用される１つのフレームレートとを含んでいる請求項６記載の方法。
【請求項８】
複数のデータビットはスピーチ情報を表す請求項２記載の方法。
【請求項９】
複数のデータビットは、複数の可能なデータレートの１つと関連している請求項８記載の方法。
【請求項１０】
可能な各データレートに対するフォーマット化されたフレームは特定の数のデータビットを含んでおり、これは別の可能なデータレートに対するフォーマット化されたフレーム中のデータビットの数とは異なっている請求項９記載の方法。
【請求項１１】
複数のデータビットは複数のクラスからのビットを含んでおり、各クラスは各レベルの重要度に関連している請求項８記載の方法。
【請求項１２】
前記発生および符号化は、フォーマット化されたフレーム中の複数のクラスのビットで行われる請求項１１記載の方法。
【請求項１３】
複数のクラスのビットは、フォーマット化されたフレームの各セクションを割当てられる請求項１１記載の方法。
【請求項１４】
スピーチ情報を有するフォーマット化されたフレームは、少くとも１２のフレーム品質インジケータビットを含んでいる請求項８記載の方法。
【請求項１５】
複数のデータビットは沈黙記述子（ＳＩＤ）を表す請求項２記載の方法。
【請求項１６】
ＳＩＤは複数のＳＩＤタイプの１つである請求項１５記載の方法。
【請求項１７】
各ＳＩＤタイプに対するＳＩＤは、別のＳＩＤタイプに対するＳＩＤとは異なる特定の数のビットを含んでいる請求項１６記載の方法。
【請求項１８】
フォーマット化されたフレーム中に含まれているＳＩＤの特定のＳＩＤタイプを示す１以上のフォーマットビットを、フォーマット化されたフレーム中に添付するステップをさらに含んでいる請求項１６記載の方法。
【請求項１９】
複数のＳＩＤタイプに対するフォーマット化されたフレームは同じフレーム長を有している請求項１８記載の方法。
【請求項２０】
複数のＳＩＤタイプに対するフレーム長は４３ビットまたは４６ビットである請求項１９記載の方法。
【請求項２１】
ＳＩＤに対するフォーマット化されたフレームは、少くとも８のフレーム品質インジケータビットを含んでいる請求項１５記載の方法。
【請求項２２】
ＡＭＲデータに関連したシグナリング情報をシグナリングチャンネルを介して送信するステップをさらに含んでいる請求項１記載の方法。
【請求項２３】
ＡＭＲデータに関連したシグナリング情報を、フォーマット化されたフレームを送信するために使用されるトラフィックチャンネルによりシグナリングフレームで送信するステップをさらに含んでいる請求項１記載の方法。
【請求項２４】
無線通信システムはｃｄｍａ２０００標準規格に従っている請求項１記載の方法。
【請求項２５】
適応マルチレート（ＡＭＲ）スピーチコーダに関連したデータビットを受信する方法において、
ＡＭＲスピーチコーダに関連した複数のデータビットを含んでいるフレームを受信し、
受信されたフレームのフレームレートを検出し、
その検出されたフレームレートに少くとも部分的に基づいて、受信されたフレームから複数のデータビットを抽出するステップを含んでいる方法。
【請求項２６】
受信されたフレームを複数のレート仮説にしたがってデコードして、複数のデコードされたフレームを生成するステップをさらに含んでいる請求項２５記載の方法。
【請求項２７】
受信されたフレームのフレームレートは、複数のデコードされたフレームに関するＣＲＣチェックの結果に基づいて検出される請求項２６記載の方法。
【請求項２８】
受信されたフレームのフレームレートはさらに、複数のデコードされたフレームに対するシンボルエラーレートに基づいて検出される請求項２７記載の方法。
【請求項２９】
受信されたフレームは複数の可能なフレームレートの１つに関連しており、検出はレート検出アルゴリズム（ＲＤＡ）にしたがって行われる請求項２５記載の方法。
【請求項３０】
複数の可能なフレームレートは、スピーチ情報に対して使用される４つのフレームレートと、沈黙記述子（ＳＩＤ）に対して使用される１つのフレームレートと、およびブランクフレームに対して使用される１つのフレームレートとを含んでいる請求項２９記載の方法。
【請求項３１】
無線通信システムにおける適応マルチレート（ＡＭＲ）スピーチコーダに関連したデータビットを送信するように動作する送信装置において、
ＡＭＲスピーチコーダに関連した複数のデータビットを処理して、複数のフレーム品質インジケータビットを生成するように構成されたフレーム品質発生器と、
そのフレーム品質発生器に結合され、前記複数のデータビットと前記複数のフレーム品質インジケータビットとを含んでおり、通信システムにより規定された特定のフレームフォーマットに従ってフォーマット化されたフレームを形成するように構成されたフレームフォーマッタと、
そのフォーマット化されたフレームの表示を送信するように構成された送信機とを含んでいる送信装置。
【請求項３２】
フレームフォーマッタに結合され、フォーマット化されたフレームを符号化して符号化されたフレームを発生するように構成された畳込みエンコーダをさらに含んでいる請求項３１記載の送信装置。
【請求項３３】
無線通信システムにおける適応マルチレート（ＡＭＲ）スピーチコーダに関連したデータビットを受信するように動作する受信装置において、
ＡＭＲスピーチコーダに関連した複数のデータビットを含んでいるフレームを受信し、複数のレート仮説にしたがって受信されたフレームをデコードし、複数のレート仮説に対する複数のデコードされたフレームを提供するデコーダと、
そのデコーダに結合され、少くとも１組の品質インジケータ値を受信し、この少くとも１組の品質インジケータ値に基づいて、受信されたフレームに対する特定のフレームレートを決定し、その決定されたフレームレートに少くとも部分的に基づいて、受信されたフレームから複数のデータビットを抽出するように構成されたレート検出器とを含んでおり、
各レート仮説が受信されたフレームに対する複数の可能なフレームレートの１つに対応している受信装置。
【請求項３４】
レート検出器は、
複数のデコードされたフレームを、デコードされた各フレーム中に含まれている１組のＣＲＣビットに基づいてチェックし、複数のデコードされたフレームに対するＣＲＣチェックの結果を示す複数のチェックビットを供給するように構成されたＣＲＣチェッカーを含んでいる請求項３３記載の受信装置。
【請求項３５】
レート検出器は、
複数のデコードされたフレームに対する複数のＳＥＲ値を供給するように構成されたシンボルエラーレート（ＳＥＲ）検出器を含んでいる請求項３３記載の受信装置。
【請求項３６】
レート検出器は、
複数のデコードされたフレームに対する複数のヤマモト値を供給するように構成されたヤマモト検出器を含んでいる請求項３３記載の受信装置。
【請求項３７】
受信されたフレームのフレームレートは、複数のデコードされたフレームに対して得られたＣＲＣチェック、シンボルエラーレート、ヤマモト値またはその組合せの結果に基づいて決定される請求項３３記載の受信装置。
【請求項３８】
ｃｄｍａ２０００システムにおける適応マルチレート（ＡＭＲ）スピーチコーダ情報の送信方法において、
巡回冗長検査（ＣＲＣ）を使用してＡＭＲスピーチコーダ情報のビットを符号化し、
ＡＭＲスピーチコーダ情報を、特定の数の可能なフレームレートから選択されたフレームレートを有するｃｄｍａ２０００フレーム中に挿入し、
ｃｄｍａ２０００フレームの表示を送信するステップを含んでいる送信方法。
【請求項３９】
ｃｄｍａ２０００システムにおける適応マルチレート（ＡＭＲ）スピーチコーダ情報の受信方法において、
受信されたｃｄｍａ２０００フレームに関してレート検出を行って、受信されたフレームのフレームレートを決定し、
その受信されたフレームの決定されたフレームレートに少くとも部分的に基づいて、受信されたフレームから複数のＡＭＲ情報ビットを抽出するステップを含んでいる方法。
【請求項４０】
特定のエンコーダは畳込みエンコーダである請求項２記載の方法。
【請求項４１】
フォーマット化されたフレームは、各フレームの開始時に畳込みエンコーダを既知の状態に設定するために使用される複数のテールビットを含んでいる請求項２記載の方法。
【請求項４２】
フォーマット化されたフレーム中に含まれているスピーチ情報の特定のデータレートを示すフォーマットビットを、フォーマット化されたフレームから除去するステップをさらに含んでいる請求項９記載の方法。
【請求項４３】
ＡＭＲデータに関連したシグナリング情報をフォーマット化されたフレームから除去するステップをさらに含んでいる請求項１記載の方法。
【請求項４４】
テールオフされた畳込みコードにしたがってＡＭＲスピーチコーダ情報を符号化するステップをさらに含んでいる請求項３８記載の方法。
【請求項４５】
ＡＭＲスピーチコーダ情報のビットは、異なった重要度レベルに対応した特定の数の優先度のクラスに分類されている請求項３８記載の方法。
【請求項４６】
特定の優先度クラス数は３である請求項４５記載の方法。
【請求項４７】
特定の可能なフレームレート数は６である請求項３８記載の方法。
【請求項４８】
６つの可能なフレームレートは、主サービスオプションデータを伝送するために使用される４つのフレームレートと、沈黙記述子（ＳＩＤ）データを伝送するために使用される１つのフレームレートと、およびデータの伝送のないものに使用される１つのフレームレートとを含んでいる請求項４７記載の方法。
【請求項４９】
特定の数の合計ビットを有するフレームを形成するためにＳＩＤデータを伝送する各フレーム中に１以上のフォーマットビットを挿入するステップをさらに含んでいる請求項４８記載の方法。
【請求項５０】
ＳＩＤデータを伝送するフレームは全部で４３のビットを含んでいる請求項４９記載の方法。
【請求項５１】
ｃｄｍａ２０００専用制御チャンネル（ＤＣＣＨ）でシグナリング情報を送信するステップをさらに含んでいる請求項３８記載の方法。
【請求項５２】
ｃｄｍａ２０００の基本チャンネル上でブランクおよびバーストフレームを使用してシグナリング情報を送信するステップをさらに含んでいる請求項３８記載の方法。
【請求項５３】
受信されたフレームに対するフレームレートを、ブラインドレート決定アルゴリズムに基づいて特定の数の可能なフレームレートの中から選択するステップをさらに含んでいる請求項３９記載の方法。
【請求項５４】
特定の可能なフレームレート数は６である請求項５３記載の方法。
【請求項５５】
６つの可能なフレームレートは、主サービスオプションデータを伝送するために使用される４つのフレームレートと、沈黙記述子（ＳＩＤ）データを伝送するために使用される１つのフレームレートと、およびデータの伝送のないものに使用される１つのフレームレートとを含んでいる請求項５４記載の方法。
【請求項５６】
ＡＭＲスピーチコーダ情報を伝送するトラフィックチャンネルに関連したシグナリング情報をｃｄｍａ２０００専用制御チャンネル（ＤＣＣＨ）で受信するステップをさらに含んでいる請求項３９記載の方法。
【請求項５７】
ＡＭＲスピーチコーダ情報を伝送する基本チャンネルに関連したシグナリング情報を、基本チャンネルで受信されるブランクおよびバーストフレーム内で受信するステップをさらに含んでいる請求項３９記載の方法。
【発明の詳細な説明】
【０００１】
【発明の属する技術分野】
本発明は一般にデータ通信に関する。とくに、本発明は、ｃｄｍａ２０００通信システムにおいて適応マルチレート（ＡＭＲ）スピーチコーデックデータをサポートする新しい改善された方法および装置に関する。
【０００２】
【従来の技術】
無線通信システムは広く展開され、音声、データ等の種々のタイプの通信を提供している。これらのシステムは符号分割多元接続（ＣＤＭＡ）、時分割多元接続（ＴＤＭＡ）または別のある変調技術に基づくことができる。ＣＤＭＡシステムにはシステム容量の増加を含む別のタイプのシステムより優れた利点がある。システム容量の増加が含まれる。
【０００３】
システムは（１）“ＴＩＡ／ＥＩＡ／ＩＳ−９５−Ｂ Ｍｏｂｉｌｅ Ｓｔａｔｉｏｎ−Ｂａｓｅ Ｓｔａｔｉｏｎ Ｃｏｍｐａｔｉｂｉｌｉｔｙ Ｓｔａｎｄａｒｄ ｆｏｒ Ｄｕａｌ−Ｍｏｄｅ Ｗｉｄｅｂａｎｄ Ｓｐｒｅａｄ Ｓｐｅｃｔｒｕｍ Ｃｅｌｌｕｌａｒ Ｓｙｓｔｅｍ ”（ＩＳ−９５標準規格）、（２）“３ｒｄ Ｇｅｎｅｒａｔｉｏｎ Ｐａｒｔｎｅｒｓｈｉｐ Ｐｒｏｊｅｃｔ”（３ＧＰＰ）と命名され、ドキュメント Ｎｏｓ．３Ｇ ＴＳ ２５．２１１ ，３Ｇ ＴＳ ２５．２１２，３Ｇ ＴＳ ２５．２１３および３Ｇ ＴＳ ２５．２１４に織り込まれたドキュメントに含まれている協会により提示された標準規格（Ｗ−ＣＤＭＡ標準規格）、（３）“３ｒｄ Ｇｅｎｅｒａｔｉｏｎ Ｐａｒｔｎｅｒｓｈｉｐ Ｐｒｏｊｅｃｔ ２”（３ＧＰＰ２） および ＴＲ−４５．５と命名された協会により提示された標準規格（ＩＳ−２０００　ＭＣと以前呼ばれていたｃｄｍａ２０００標準規格）、または（４）ある別の標準規格のような１以上の標準規格をサポートするように設計されることができる。これらの標準規格はここにおいて参考文献とされている。
【０００４】
【発明が解決しようとする課題】
各標準規格はとくに、順方向および逆方向リンクによる伝送のためのデータの処理を規定している。たとえば、スピーチ情報は、規定されたフレームフォーマットにフォーマット化された特定のデータレートで符号化され、特定の処理方式にしたがって処理（たとえば、エラー補正および、または検出符号化され、インターリーブされる等）されてもよい。特定の標準規格（たとえば、ｃｄｍａ２０００標準規格）により規定されたフレームフォーマットおよび処理は、別の標準規格（たとえば、Ｗ−ＣＤＭＡ標準規格）のものとは異なる可能性がある。
【０００５】
Ｗ−ＣＤＭＡ標準規格は適応マルチレート（ＡＭＲ）スピーチコーディング方式を規定しており、この方式ではスピーチ情報はいくつかの可能なデータレートの１つに基づいて符号化されることができ、その符号化されたスピーチデータは選択されたデータレートに依存する特定のフォーマットで供給される。
【０００６】
種々のタイプの通信システム間の適合性および相互使用可能性のために、ＡＭＲコード化されたスピーチデータをサポートすることのできるｃｄｍａ２０００システムを提供することが非常に望ましい。
【０００７】
【課題を解決するための手段】
本発明は、ｃｄｍａ２０００通信システムにおいて適応マルチレート（ＡＭＲ）コード化データをサポートする技術を提供する。以下さらに詳細に説明するように、スピーチ情報、沈黙記述子（ＳＩＤ）およびブランクフレームに対して多数のＡＭＲモードが規定されている。スピーチ情報に対するＡＭＲモードは、複数のＡＭＲスピーチデータレートをサポートする（たとえば、以下に示されているＡＭＲ標準規格によって規定されているように）。ＳＩＤデータに対するＡＭＲモードは、いくつかのＳＩＤタイプをサポートする。スピーチおよびＳＩＤデータは２０ｍ秒のフレームで供給される。
【０００８】
ｃｄｍａ２０００通信システムにおける実施形態に対して、ＡＭＲモードはｃｄｍａ２００標準方式によってサポートされたフレキシブルなレート特徴を使用して順方向および逆方向リンク上のいくつかの無線構成によりサポートされる。１実施形態において、ＡＭＲスピーチフレームに対して１２ビットＣＲＣが選択され、ＳＩＤフレームに対して８ビットＣＲＣが選択される。これらのＣＲＣ選択によって高い性能が提供されると共に、各フレームに対して使用されるオーバーヘッドビット数が最小になる。ＡＭＲデータおよびＣＲＣビットは、ｃｄｍａ２０００標準規格により無線構成に対して規定されている特定のコードレートを有する畳込みエンコーダによりさらに符号化される。
【０００９】
別の特徴において、受信されたＡＭＲフレームのフレームレートを検出するためにブラインドレート検出が使用される。ブラインドレート検出により、受信された各フレームはいくつかの仮説に基づいてデコードされ、各仮説は、受信されたフレームをデコードするために使用されたデコーディングパラメータ値の特定のセットと関連している。ブラインドレート検出をサポートするために、ＣＲＣ発生器に供給されるビットの数は、検出されるべき可能なブラインドレートのそれぞれ（すなわち、別々に検出されることを所望されているＡＭＲモードのそれぞれ）に対して異なっている。２以上のブラインドレートが同数のビットを有している場合、これらのレートを区別するために付加的なオーバーヘッド（フォーマット）ビットが与えられる。
【００１０】
【発明の実施の形態】
以下、さらに詳細に説明するように、本発明は本発明の種々の特徴、実施形態および特徴を実施する方法およびシステム要素をさらに提供する。
【００１１】
本発明の特徴、性質および利点は、以下に示されている詳細な説明および添付図面から明らかになるであろう。なお、図面において同じ参照符号が一貫して対応的に使用されている。
図１は、多くのユーザをサポートするスペクトル拡散通信システム１００ の概略図である。システム１００ は多数のセルに対する通信を行い、各セルは対応した基地局１０４ によりサービスされている。種々の遠隔端末１０６ はシステム中に散在している。各遠隔端末１０６ は、その遠隔端末１０６ がアクティブか否か、およびそれがソフトハンドオフ中であるか否かに応じて、任意の特定の瞬間に順方向および逆方向リンクで１以上の基地局１０４ と通信することができる。図１に示されているように、基地局１０４ａは遠隔端末１０６ａ，１０６ｂ，１０６ｃおよび１０６ｄと通信しており、基地局１０４ｂは遠隔端末１０６ｄ，１０６ｅおよび１０６ｆと通信している。
【００１２】
システム制御装置１０２ は基地局１０４ に接続し、さらに公衆交換電話網（ＰＳＴＮ）に接続してもよい。システム制御装置１０２ は、それに接続された基地局の調整および制御を行う。システム制御装置１０２ はさらに基地局１０４ を介して遠隔端末１０６ 間における、ならびに遠隔端末１０６ とＰＳＴＮに接続されたユーザ（たとえば、通常の電話機）との間における電話呼の経路設定を制御する。システム制御装置１０２ はまた基地局制御装置（ＢＳＣ）と呼ばれる。
【００１３】
システム１００ は、ｃｄｍａ２０００標準規格、Ｗ−ＣＤＭＡ標準規格または他のある標準規格、あるいはその組合せに従うように設計されてもよい。
【００１４】
図２は、Ｗ−ＣＤＭＡ標準規格に従ったＡＭＲデータ送信のための処理を示すブロック図である。適応マルチレート（ＡＭＲ）スピーチコーダ２１２ はスピーチデータを受信してコード化し、クラスＡ、クラスＢおよびクラスＣとラベルを付けられた３つのクラスにグループ化されるコード化されたスピーチ信号を供給する。クラスＡは最も重要なビットであり、クラスＢビットは次に重要なビットであり、クラスＣビットは最も重要度の低いビットである。各クラスに対するビットは、指定された重要度が異なるため、クラスの重要度のレベルに比例するように選択されてもよい異なった処理（たとえば、エラー補正および検出コーディング、レート整合等）を行うことのできる異なった“トランスポート”チャンネルによって送信される。たとえば、クラスＡビットに対して畳込み符号化および巡回冗長検査（ＣＲＣ）が使用されてもよく、クラスＢビットに対しては畳込み符号化が使用されるが、ＣＲＣは使用されず、クラスＣビットに対して畳込み符号化は使用されず、ＣＲＣが使用されてもよい。
【００１５】
図２に示されている特定の実施形態において、クラスＡビットはトランスポートチャンネルプロセッサ２２０ａ内において、ＣＲＣコード化され（ブロック２２２ａ）、畳込み符号化され（ブロック２２４ａ）、レート整合され（ブロック２２６ａ）、インターリーブされる（ブロック２２８ａ）。クラスＢビットはトランスポートチャンネルプロセッサ２２０ｂ内において、畳込み符号化され（ブロック２２４ｂ）、レート整合され（ブロック２２６ｂ）、インターリーブされる（ブロック２２８ｂ）。クラスＣビットはトランスポートチャンネルプロセッサ２２０ｃ内において、レート整合され（ブロック２２６ｃ）、インターリーブされる（ブロック２２８ｃ）。その後、トランスポートチャンネルプロセッサ２２０ａ乃至２２０ｃからの処理されたビットは、トランスポートチャンネルマルチプレクサ２３０ によってコード化された複合トランスポートチャンネル（ＣＣＴｒＣＨ）に多重化され、ＣＣＴｒＣＨはさらに物理的チャンネルデマルチプレクサによって１以上の物理的チャンネル流にデマルチプレクスされる。各物理的チャンネル流上の各（２０ｍ秒）のフレームはさらにインターリーブされ（ブロッ２３４ ）、結果的に得られたデータ流には物理的チャンネルに対するデータが含まれている。
【００１６】
Ｗ−ＣＤＭＡ標準規格に対するデータ処理は、その権利が本出願人に譲渡され、ここにおいて参考文献とされている米国特許出願第 ０９／６７８，６４５ 号明細書（“ ＤＡＴＡ ＢＵＦＦＥＲ ＳＴＲＵＣＴＵＲＥ ＦＯＲ ＰＨＹＳＩＣＡＬ ＡＮＤ ＴＲＡＮＳＰＯＲＴ ＣＨＡＮＮＥＬＳ ＩＮ Ａ ＣＤＭＡ ＳＹＳＴＥＭ，”２０００年１０月 ３日出願）、およびＷ−ＣＤＭＡ標準規格文献にさらに詳細に記載されている。ＡＭＲコーダ２１２ は“ＥＴＳＩ ＥＮ ３０１ ７０４ Ｄｉｇｉｔａｌ Ｃｅｌｌｕｌａｒ Ｔｅｌｅｃｏｍｍｕｎｉｃａｔｉｏｎｓ Ｓｙｓｔｅｍ ； Ａｄａｐｔｉｖｅ Ｍｕｌｔｉ−Ｒａｔｅ（ＡＭＲ）Ｓｐｅｅｃｈ Ｔｒａｎｓｃｏｄｉｎｇ ”（ＡＭＲ標準規格）に従うように設計されることができる。
【００１７】
図３は、ｃｄｍａ２０００標準規格によるＡＭＲデータ送信のためのブロック図である。適応マルチレート（ＡＭＲ）スピーチコーダ３１２ はスピーチ信号を受信してコード化し、クラスＡ、クラスＢおよびクラスＣとラベルを付けられた３つのクラスにグループ化されたコード化されたスピーチデータを供給する。ＡＭＲスピーチコーダ３１２ はまた上述されたＡＭＲ標準規格に従うように設計されることができる。３つのクラスのビットはデータブロックを形成する連結装置３２１ に供給され、各データブロックはフレームで送信され、クラスＡ、クラスＢおよびおそらくクラスＣからのビットの組合せを有する。その後、各データブロックはＣＲＣコード化され（ブロック３２２ ）、フォーマット化され（ブロック３２３ ）、畳込み符号化され（ブロック３２４ ）、レート整合され（ブロック３２６ ），インターリーブされる（ブロック３２８ ）。結果的に得られたデータ流には、トラフィックチャンネル（たとえば、ｃｄｍａ２０００システムにおける基本的または補助的チャンネル）に対するデータが含まれる。
【００１８】
図３は、ｃｄｍａ２０００システムにおけるＡＭＲスピーチデータをサポートする構成を示している。１実施形態において、クラスＡ、ＢおよびＣビットはクラスＡビット（最も信頼性の高いビット）として処理され、３つの全てのクラスのビットに対してエラー補正コーディングおよびＣＲＣが適用される。１ＡＭＲスピーチフレームに対して、１つのＣＲＣが全てのデータビット（すなわち、３つの全てのクラスのビット）に対して発生される。単一のテールオフ（ｔａｉｌ−ｏｆｆ）された畳込みエンコーダもまた、そのフレーム内の全てのビットに対して使用される。
【００１９】
ブロック３２２ におけるＣＲＣコーディングにより、受信された各データブロックに対していくつかのＣＲＣビット（たとえば、８ビットまたは１２ビットＣＲＣ値）が特定の発生器の多項式に基づいて発生される。各データブロックに関して含まれるべきＣＲＣビットの数は、フレームが誤って受信されたか否かを正しく検出する高い尤度を提供すると共に、オーバーヘッドビットの数を最小にするように選択される。１実施形態では、低いレートのフレーム（たとえば、８０以下のデータビットを有する）に対して８ビットＣＲＣ値が使用され、高いレートのフレーム（たとえば、２６７までのデータビットを有する）に対して１２ビットＣＲＣ値が使用される。８ビットおよび１２ビットＣＲＣ値を発生するために使用される多項式発生器は、以下のようなものであってもよい：
１２ビットＣＲＣに対して、
ｇ（ｘ）＝ｘ１２＋ｘ１１＋ｘ１０＋ｘ９ ＋ｘ８ ＋ｘ４ ＋ｘ＋１
８ビットＣＲＣに対して、
ｇ（ｘ）＝ｘ８ ＋ｘ７ ＋ｘ４ ＋ｘ３ ＋ｘ＋１
【００２０】
別の長さ（たとえば、６ビット、１０ビットおよび１６ビット等）のＣＲＣ値もまた使用されてもよく、本発明の技術的範囲内である。別のタイプのフレーム品質インジケータがまたＣＲＣの代わりに使用されてもよく、これもまた本発明の技術的範囲内である。使用されてもよい別のタイプのフレーム品質インジケータには、デコーダ測定軽量、再符号化されたシンボルエラーレートおよびその他が含まれる。
【００２１】
ブロック３２３ におけるフレームフォーマット化により、規定されたフォーマットのデータフレームが生成される。いくつかのＡＭＲモードに関して、以下さらに詳細に説明するように、これらのモードに対するフレームが特定の固定長（たとえば４３ビット）を有するように、データビットに付加的なオーバーヘッドビットが追加されてもよい。また、各データブロックの終わりに複数のエンコーダのテールビット（たとえば、ゼロの８ビット）が付加されてもよい。これらのテールビットは、次のデータブロックの符号化が既知の状態からスタートように、畳込みエンコーダを各データブロックの終わりに既知の状態（全てゼロ）にフラッシュ（ｆｌｕｓｈ）するために使用される。
【００２２】
ブロック３２６ におけるレート整合は、フレーム中の各ビットをＮ回反復し（ここでＮは１、２、４、８またはある別の値であってよい）、特定のパンクチャリング（ｐｕｎｃｔｕｒｉｎｇ）パターンにしたがってビットのゼロまたはあるものをパンクチャ（すなわち、削除）することによって行われてもよい。パンクチャリングパターンは、特定のアルゴリズムに基づいて発生されてもよい。ＡＭＲデータに対して、パンクチャリングは、その権利が本出願人に譲渡され、ここにおいて参考文献とされている米国特許出願第 ０９／５８７，１６８ 号明細書（“ ＭＥＴＨＯＤＳ ＡＮＤ ＡＰＰＡＲＡＴＵＳ ＦＯＲ ＰＵＮＣＴＵＲＩＮＧ ＣＯＤＥ ＳＹＭＢＯＬＳ ＩＮ Ａ ＣＯＭＭＵＮＩＣＡＴＩＯＮＳ ＳＹＳＴＥＭ ， ”２０００年１０月 ６日出願）に記載されているように行われてもよい。
【００２３】
ｃｄｍａ２０００標準規格に対するデータフォーマットおよび処理は、ｃｄｍａ２０００標準規格の文献にさらに詳細に記載されている。
【００２４】
表１には、Ｗ−ＣＤＭＡ標準規格により特定されたＡＭＲモード、および各ＡＭＲモードに対するクラスＡ、ＢおよびＣに対するビット数が列挙されている。３つのクラスへのビットの分類、各クラスの対するビットの数および、または各データブロックに対する総ビット数は表１に列挙されたものと異なっていてもよい。
【００２５】
表１に示されているように、４．７５ｋｂｐｓから１２．２ｋｂｐｓまでの範囲の８つの異なったＡＭＲスピーチデータレートに対してＡＭＲモード０乃至７が割当てられる。ＡＭＲモード８乃至１１は、異なったタイプの沈黙記述子（ＳＩＤ）情報を送信するために使用される。ＡＭＲモード１２乃至１４は将来の使用のためにリザーブされ、ＡＭＲモード１５はデータ送信なしを表す。表１に示されているように、フレーム中の総ビット数は１乃至２４４である。表１の各行の終わりにある逆方向リンク（ＲＬ）スピーチレートビットは、逆方向リンクレートを特定するために使用され、順方向リンクフレームに対してのみ必要とされる。
【００２６】
【表１】
2004500765.tif 000003
【００２７】
１実施形態において、４つのタイプのＳＩＤに対する（すなわち、ＡＭＲモード８乃至１１に対する）フレームは同じ長さ（すなわち、順方向リンクに対して４６ビット、逆方向リンクに対して４３ビット）を有するように設計される。同じフレーム長により、別のフレームタイプからのＳＩＤフレームの容易な検出が可能になる。ＳＩＤフレームの長さは、ＳＩＤとして送信されるべきデータビットの最大数（たとえば、ＡＭＲモード９に対して４２ビット）と、４つのＳＩＤタイプを識別して区別するのに十分な付加的フォーマットビット数（たとえば１ビット）とに基づいて決定される。
【００２８】
表２には、順方向リンクに対する４つのＳＩＤタイプに対するフォーマットビットの特有の定義が列挙されている。最大レートインジケータ（ＭＲ）ビットは、ＳＩＤフレームがＡＭＲモード９に対するものであるか否かを示す。ＳＩＤフレームがＡＭＲモード９に対するものでない場合、ＳＩＤフレームをＡＭＲモード８、１０、１１のいずれかとして識別するモードインジケータ（ＭＩ）のために２つの付加的なフォーマットビットが使用される。表２に示されているように、ＳＩＤデータに対して、あるいはフォーマットビットとして使用されない残ったビットはリザーブされる。
【００２９】
【表２】
2004500765.tif 000004
【００３０】
表３には、逆方向リンクに対する４つのＳＩＤタイプに対するフォーマットビットの特有の定義が列挙されている。最大レートインジケータ（ＭＲ）ビットおよびモードインジケータ（ＭＩ）ビットは順方向リンクに対するものと同じように定められている。しかしながら、３つの逆方向リンクレートビットは逆方向リンクＳＩＤフレームには必要ないので、４３ビットが各ＳＩＤフレーム中に含まれている。
【００３１】
【表３】
2004500765.tif 000005
【００３２】
図４は、順方向リンク上でサポートされているＡＭＲモードに対するフレームフォーマットを示すタイヤグラムである。図４および表１に示されているように、ＡＭＲモード０乃至５に対するフレームはいくつかのクラスＡビットおよびいくつかのクラスＢビットを含んでおり、各クラス内の特定の数のビットが特定のＡＭＲモードに依存する。ＡＭＲモード６および７に対するフレームは、クラスＡ、ＢおよびＣに対するいくつかのビットを含んでおり、やはり特定の各クラス内の特定の数のビットが特定のＡＭＲモードに依存する。各フレームに対して、左端ビットが最初に送信される。
【００３３】
ＡＭＲモード８乃至１１に対するフレーム（すなわち、ＳＩＤフレーム）は、ＳＩＤデータおよび最大レートインジケータ（ＭＲ）ビットを含んでおり、それらはまた図４および表２に示されているように、モードインジケータ（ＭＩ）ビットおよびリザーブビットをさらに含んでいる可能性がある。ＡＭＲモード１５に対するフレームは１つのリザーブされたビットを含んでいる。各ＡＭＲモードに対する順方向リンクフレームは３つの逆方向リンクスピーチレートビットをさらに含んでいる。
【００３４】
図５は、逆方向リンク上でサポートされているＡＭＲモードに対するフレームフォーマットを示すタイヤグラムである。逆方向リンク上のＡＭＲモード０乃至１１に対するフレームは順方向リンク上の対応したフレームから３つの逆方向リンク速度レートビットを引いたものと同じフォーマットを有している。ＡＭＲモード１５に対するフレームは４つのリザーブビットを含んでいる。
【００３５】
本発明の特徴によると、ブラインドレート検出は、サポートされたＡＭＲモードに対して送信されたフレームを検出するために使用される。ブラインドレート検出により、受信された各フレームはいくつかの仮説に基づいてデコードされ、各仮説は、受信されたフレームをデコードするために使用されたデコーディングパラメータ値の特定のセットと関連している。たとえば、仮説は、受信されたフレームに対する送信したソースで使用された特定のデータレート、コードレート等を仮説として取り上げる。最良品質の計量（たとえば、ＣＲＣチェックされたフレーム）を生じさせる仮説は正しいものと考えられ、この仮説に基づいてデコードされたフレームが、送信されたフレームとして選択される。
【００３６】
ブラインドレート検出をサポートするために、ＣＲＣ発生器に供給されるビットの数は、検出されるべき可能なブラインドレートのそれぞれ（すなわち、別々に検出されることを所望されたＡＭＲモードのそれぞれ）に対して異なっていなければならない。２以上のブラインドレートが同数のビットを有している場合、これらのレート間を区別するために付加的なオーバーヘッドビットが必要とされる。
【００３７】
任意の特定の取決めをなされたＡＭＲサービスに対して、多くて４つのスピーチレートが可能である。この場合、たとえば６つの異なったフレームレートにより、表１に列挙されたＡＭＲモードがサポートされてもよい。これら６つのフレームレートは、スピーチデータ（ＡＭＲモード０乃至７）に対して使用される４つのフレームレートと、沈黙記述子（ＳＩＤ）（ＡＭＲモード８乃至１１）に対して使用される１つのフレームレートと、および送信なし（ＡＭＲモード１５）に対して使用される１つのフレームレートとを含んでいてもよい。４つのタイプのＳＩＤ（ＡＭＲモード８乃至１１）に対するフレームは同じ長さ（たとえば４３ビット）を有し、したがって同じフレームレートを共有するものであると定義されてもよい。
【００３８】
受信している装置には、検出されるべき６つの可能なブラインドレートが存在する。４つのＳＩＤタイプに対するＳＩＤフレームは同じフレームレートを共有するため、ブラインドレート検出により、受信されたフレームがＳＩＤフレームであるか否かだけが決定されることができる。上記の表２および３に示されているように、特定のＳＩＤタイプの識別を可能にするために各ＳＩＤフレーム中に１以上の付加的なフォーマットビットが含まれている。ブラインドレート検出を使用することによって、使用されている特定のＡＭＲモードを識別するために各フレームにおいてオーバーヘッドビットを送信する必要がなくなる。
【００３９】
ｃｄｍａ２０００システムにおいて、音声およびパケットデータは順方向および逆方向リンクにより１以上のトラフィックチャンネルで送信されてもよい。（トラフィックチャンネルはＷ−ＣＤＭＡシステムでは物理的チャンネルに類似している。）ｃｄｍａ２０００システムでは、音声データは典型的に基本チャンネル（ＦＣＨ）によって送信され、トラフィックデータは典型的に補助チャンネル（ＳＣＨ）によって送信され、シグナリングは専用制御チャンネル（ＤＣＣＨ）によって送信されてもよい。ＦＣＨ、ＤＣＣＨおよびＳＣＨは異なったタイプのトラフィックチャンネルである。ＳＣＨで高速データ伝送を受信するために、典型的に遠隔端末はまたＦＣＨまたはＤＣＣＨを割当てられている。
【００４０】
ｃｄｍａ２０００システムにおいて、割当てられた各トラフィックチャンネルは、トラフィックチャンネルの特性を規定する特定の無線構成（ＲＣ）と関連している。これらの特性は（畳込みまたはターボ）コードレート（Ｒ）、変調特性、拡散レート（ＳＲ）等の種々の物理層パラメータによって規定されてよい。各無線構成はさらに、２０ｍ秒フレーム当り３０乃至２０７３６ビットに対応する１．５Ｋｂｐｓから１．０３６８Ｍｂｐｓまでの範囲の１０までの異なったデータレートをサポートする。無線構成はまたフレキシブルレートをサポートし、それによってデータは７５０ｂｐｓから１．０３６８Ｍｂｐｓまでの範囲のデータレートで送信されてもよい。
【００４１】
表４には、ｃｄｍａ２０００標準規格により規定された順方向基本チャンネルに対するフレキシブルなデータレートのいくつかに対する無線構成および関連したパラメータ値が列挙されている。表４に列挙されたデータレートは、表１に列挙されたＡＭＲモードをサポートするために使用されてもよい。
【００４２】
【表４】
2004500765.tif 000006
【００４３】
表５には、ｃｄｍａ２０００標準規格により規定された順方向リンクに対する無線構成３乃至９に対するコードレートおよびインターリーバサイズが列挙されている。
表５−順方向基本チャンネルに対する無線構成特性
無線構成　　　　コードレート　　　　インターリーバ
サイズ
３　　　　　　　１／４　　　　　　　　７６８
４　　　　　　　１／２　　　　　　　　３８４
５　　　　　　　１／４　　　　　　　　７６８
６　　　　　　　１／６　　　　　　　　１１５２
７　　　　　　　１／３　　　　　　　　５７６
８　　　　　　　１／４　　　　　　　　１１５２
９　　　　　　　１／２　　　　　　　　５７６
【００４４】
本発明の特徴によると、表１に列挙されたＡＭＲモードは、ｃｄｍａ２０００標準規格によりサポートされたフレキシブルレートの特徴を使用して順方向および逆方向リンク上のいくつかの無線構成によりサポートされる。１実施形態において、ＡＭＲスピーチフレーム（ＡＭＲモード０乃至７）に対して１２ビットＣＲＣが選択され、ＳＩＤフレーム（ＡＭＲモード８乃至１１）に対して８ビットＣＲＣが選択される。これらのＣＲＣ選択によって、これらのＣＲＣ選択によって良好な性能が提供されると共に、各フレームに対して使用されるオーバーヘッドビット数が最小になる。
【００４５】
表６乃至１２は、順方向リンクに対して無線構成３乃至９をそれぞれ使用して表１に列挙されたＡＭＲモードをサポートする１実施形態を示している。これらの各表において、ＡＭＲスピーチフレーム（ＡＭＲモード０乃至７）に対する情報ビットの数（カラム２）はクラスＡ、ＢおよびＣビットと３つのＲＬスピーチレートビットとの和である。各ＳＩＤフレームに対する情報ビットの数は、ＳＩＤビットとフォーマットビットと、３つのＲＬスピーチレートビットとの和である。エンコーダ入力（カラム５）は、カラム２からの総情報ビットに８または１２ＣＲＣビット（カラム３）と８テールビット（カラム４）とを加えたものを含んでいる。各無線構成に対して、コードレートはｃｄｍａ２０００標準規格によって規定されている。１／４コードレートに対して、４つのコードビットが各情報ビットに対して発生され、エンコーダ出力におけるビットの数（カラム６）はエンコーダ入力に与えられたビットの数の４倍である。インターリーバサイズ（カラム７）は特定の無線構成に対して固定されている。
【００４６】
無線構成３、４、６および７に対して、モード６および７における２つの最高のＡＭＲレートはサポートされない。これらの無線構成はレートセット１（９．６ｋｂｐｓ）に基づいており、このレートセット１は、フレーム当りの最大情報ビット数が基本チャンネルに対して１７２である。もっと高いＡＭＲレートに適応するために、レートセット２（１４．４ｋｂｐｓ）に基づいた無線構成が使用されることが可能であり、このレートセット２はフレーム当り２６８までの情報ビットを提供する。たとえば、無線構成３および５は７６８シンボルインターリーバを有するレート１／４エンコーダを使用する。しかしながら、無線構成３は１７２までの情報ビットしかサポートしないが、無線構成５は基本チャンネルフレーム当り２６８までの情報ビットをサポートする。フレキシブルレートパラメータは低いレートのＡＭＲモードに関して無線３および５に対して同じであるが、無線構成５は表１に列挙された全てのＡＭＲモードをサポートすることができる。したがって、ほとんどのＡＭＲ適用に対して、無線構成５が無線構成３の代りに使用されてよい。
【００４７】
【表５】
2004500765.tif 000007
【表６】
2004500765.tif 000008
【表７】
2004500765.tif 000009
【表８】
2004500765.tif 000010
【表９】
2004500765.tif 000011
【表１０】
2004500765.tif 000012
【表１１】
2004500765.tif 000013
【００４８】
表１３には、ｃｄｍａ２０００標準規格によって規定された逆方向基本チャンネルに対するフレキシブルデータレートのいくつかに対する無線構成および関連したパラメータ値が列挙されている。表１３に示されたフレキシブルデータレートは表１に列挙したＡＭＲモードをサポートするために使用されることができる。逆方向リンクの無線構成３乃至６はレート１／４エンコーダおよび１５３６シンボルのインターリーバを使用する。
【００４９】
【表１２】
2004500765.tif 000014
【００５０】
表１４は、逆方向リンクに対して無線構成４または６を使用してＡＭＲモードをサポートする１実施形態を示している。表１４において、ＡＭＲスピーチフレーム（ＡＭＲモード０乃至７）に対する情報ビットの数（カラム２）は、クラスＡ、ＢおよびＣビットの和である。各ＳＩＤフレームに対する情報ビットの数はＳＩＤビットとフォーマットビットとの和である。エンコーダ入力（カラム５）はカラム２からの総情報ビットと、８または１２ＣＲＣビット（カラム３）と、および８テールビット（カラム４）とを含んでいる。コードレート１／４について、各情報ビットに対して４つのコードビットが発生され、エンコーダ出力におけるビットの数（カラム６）はエンコーダ入力に与えられたビットの数の４倍である。インターリーバサイズ（カラム７）はｃｄｍａ２０００標準規格によって規定されている。
【００５１】
表１４は、レートセット２（１４．４ｋｂｐｓ）に基づく無線構成４および６を使用してＡＭＲデータをサポートする１実施形態を示している。レートセット１（９．６ｋｂｐｓ）に基づく無線構成３および５が使用された場合、パラメータは、ＡＭＲモード６および７に対する２つの最高のＡＭＲレートがサポートされないことを除いて、無線構成４および６について表１４に示されているものと同じになる。したがって、無線構成３および５の代わりに無線構成４または６が使用されるべきである。
【００５２】
【表１３】
2004500765.tif 000015
【００５３】
表１に列挙されたＡＭＲモードをサポートするために、ＡＭＲデータに関連したシグナリング情報は（１）専用制御チャンネル（ＤＣＣＨ）で送信されるか、（２）ＡＭＲデータを送信するために使用されるトラフィックチャンネルによりブランクおよびバーストフレームとして送信されるか、あるいは（３）別のあるシグナリング機構によって送信されてもよい。１実施形態では、ＡＭＲデータに対するシグナリング情報はトラフィックチャンネルで“ディム（ｄｉｍ）およびバースト”フレームとして送信されない。
【００５４】
図６は、ＡＭＲフレームを処理することのできる受信装置６００ の１実施形態のブロック図である。復調器６１２ は先行する装置からサンプルを受信し、復調し（たとえば、デスプレッドし、デカバーしてパイロット復調し）、復調されたフレームを出力する。マルチレートデコーダ６１４ は復調された各フレームを１組のレート仮説にしたがって受信し、デコードする。各レート仮説は受信されたフレームに対する仮説として取上げられた特定のレートに対応し、そのレートに対して使用された特定の組の処理（たとえば、ＣＲＣ、符号化およびインターリーブ）パラメータ値と関連している。各レート仮説に対して、デコーダ６１４ はエラー補正デコーディングを行い、デコードされたフレームを各バッファ６１６ に供給する。図６に示されているように、いくつかのブラインドレートに対して、いくつかのバッファ６１６ａ乃至６１６ｆが設けられている。たとえば、上述の表１に列挙されたＡＭＲモードに対して検出されるべき６つのブラインドレートに対して６個のバッファが使用される。別のブラインドレートに対するそれより少い、または多い仮説はまたサポートされてもよく、これは本発明の技術的範囲内である。
【００５５】
レート検出器６２０ はデコードされたフレームをバッファ６１６ から受取り、そのデコードされたフレームの１つを送信されるフレームとして選択する。図６に示されている実施形態において、レート検出器６２０ はＣＲＣチェッカー６２２ 、シンボルエラーレート（ＳＥＲ）検出器６２４ 、ヤマモト計量検出器６２６ 、デコーダ計量検出器６２８ およびヘッダチェッカー６３０ を含んでいる。レート検出器６２０ はこれらのチェッカーおよび検出器のサブセットだけで構成されてもよく、あるいは異なったまたは付加的なチェッカーおよび検出器を使用してもよい。
【００５６】
ＣＲＣチェッカー６２２ は、デコードされた各フレーム中のデータブロックに対するＣＲＣ値を局部的に発生し、局部的に発生されたＣＲＣ値がデコードされたフレーム中のＣＲＣ値と一致するか否かを決定する。このＣＲＣチェックは、全てのレート仮説に対するデコードされたフレームに対して行われる。ＣＲＣチェッカー６２２ は、検出されている可能な各ブラインドレートに対していくつかのチェックビット（たとえば、Ｃ１ 、Ｃ２ 等）を１つづつ供給する。
【００５７】
ＳＥＲ検出器６２４ はデコードされたビットをバッファ６１６ から受取り、またライン６１８ を介して受取られたシンボルの評価を行う。その後、ＳＥＲ検出器６２４ はデコードされたビットを再度符号化し、その再度符号化されたビットを受取られたシンボルと比較し、再度符号化されたシンボルと受取られたシンボルとの間の不一致の数をカウントし、不一致の数を示すシンボルエラーレート（ＳＥＲ）を出力する。ＳＥＲ検出器６２４ は、検出されている可能な各ブラインドレートに対していくつかのＳＥＲ値（たとえば、ＳＥＲ１ 、ＳＥＲ２ 等）を１つづつ供給する。異なったフレームレートに対するＳＥＲ値は典型的に、フレーム当りのシンボル数の差を説明するように正規化される。現在のフレームのレートおよび完全性を決定するために、ＳＥＲ値がＣＲＣビットに加えて使用されてもよい。
【００５８】
ヤマモト計量検出器６２４ は、トレリスを通った選択された通路とそのトレリスを通った次に最も近い通路との間の差に基づく計量の信頼性を示す。ＣＲＣチェックはデコードされた各フレーム中のビットに依存するが、ヤマモト計量検出器６２４ はデコーディングの前のフレーム処理に依存する。ヤマモト計量検出器６２４ は、検出されている可能な各ブラインドレートに対していくつかのヤマモト値（たとえば、Ｙ１ 、Ｙ２ 等）を１つづつ供給する。
【００５９】
デコーダ計量検出器６２８ は、選択されたデコーダトレリス出力路に対するビタビデコーダ計量のような、デコードされたフレームの信頼性を示す計量を出力する。
【００６０】
レート検出器６２０ はＣＲＣチェックビットをＣＲＣチェッカー６２２ から受取り、ＳＥＲ値をＳＥＲ検出器６２４ から受取り、ヤマモト値をヤマモト検出器６２６ から受取る。その後レート検出器６２０ は、可能なレートのいずれの１つが受信されたフレームの実際のレートなのかを決定する。レート検出器６２０ は特定のレート決定アルゴリズムを使用し、このアルゴリズムはＣＲＣチェック、ＳＥＲ検出、ヤマモト検出またはその組合せからの結果を加重し、これらの結果に基づいて受信されたフレームレートの評価を行うものである。受信されたフレームのレートが決定されると、レート検出器６２０ は適切なバッファ６１６ に信号を供給し、さらに処理されてもよいデコードされたフレームを出力する。消去が宣言された（たとえば、受信されたフレームに対して全てのＣＲＣビットが不合格だった）場合には、フームは１つも供給されず、フレームは誤って受信されていると考えられる。その代わり、あるいはそれに加えて、レート検出器６２０ は、消去が宣言された場合にフレーム消去を示す信号を出力してもよい。
【００６１】
ＳＩＤフレームであると宣言された受信されたフレームに対して、ヘッダチェックカー６３０ はフォーマットビットをチェックして、どのタイプのＳＩＤが受信されたのかを決定する。ヘッダチェックカー６３０ はまた、特定のＳＩＤタイプが検出されたことを示す信号を出力してもよい。
【００６２】
検出器６１４ は、米国特許第 ５，７１０，７８４号明細書（“ ＭＵＬＴＩＲＡＴＥ ＳＥＲＩＡＬ ＶＩＴＥＲＢＩ ＤＥＣＯＤＥＲ ＦＯＲ ＣＤＭＡ ＳＹＳＴＥＭ ＡＰＰＬＩＣＡＴＩＯＮＳ”）に記載されているマルチレートビタビデコーダとして構成されてもよい。ブラインドレート検出を行う技術は、米国特許第 ５，７５１，７２５号明細書（“ ＭＥＴＨＯＤ ＡＮＤ ＡＰＰＡＲＡＴＵＳ ＦＯＲ ＤＥＴＥＲＭＩＮＩＮＧ ＴＨＥ ＲＡＴＥ ＯＦ ＲＥＣＥＩＶＥＤ ＤＡＴＡ ＩＮ Ａ ＶＡＲＩＡＢＬＥ ＲＡＴＥ ＣＯＭＭＵＮＩＣＡＴＩＯＮ ＳＹＳＴＥＭ ”）および米国特許第 ６，１０８，３７２号明細書（“ ＭＥＴＨＯＤ ＡＮＤ ＡＰＰＡＲＡＴＵＳ ＦＯＲ ＤＥＣＯＤＩＮＧ ＶＡＲＩＡＢＬＥ ＲＡＴＥ ＤＡＴＡ ＵＳＩＮＧ ＨＹＰＯＴＨＥＳＩＳ ＴＥＳＴＩＮＧ ＴＯ ＤＥＴＥＲＭＩＮＥ ＤＡＴＡ ＲＡＴＥ ”）に記載されている。これらの特許明細書は権利が本出願人に譲渡され、ここにおいて参考文献とされている。
【００６３】
図３および６において、送信元（たとえば、基地局）および受信デバイス（たとえば、遠隔端末）内の処理装置は、種々の手段によって構成されてもよい。たとえば、図６における復調器６１２ 、デコーダ６１４ およびレート検出器６２０ はハードウェア、ソフトウェアまたはその組合せによって構成されてもよい。ハードウェア構成に対して、処理装置は１以上の特定用途向け集積回路（ＡＳＩＣ）、デジタル信号プロセッサ（ＤＳＰ）、プログラム可能な論理デバイス（ＰＬＤ）、制御装置、マイクロ制御装置、マイクロプロセッサ、ここに記載した機能を行うために設計されたその他の電子装置、あるいはその組合せにより構成されてもよい。
【００６４】
ソフトウェア構成に対して、これらの処理装置は、ここに記載されている機能を行うモジュール（たとえば、手順、機能等の）により構成されてもよい。たとえば、デコーディング、ＣＲＣチェック、ＳＥＲ検出、ヤマモト検出、ブラインドレート決定および、または別の機能はメモリ装置中に記憶されたソフトウェアコードで構成され、プロセッサにより実行されてもよい。
【００６５】
簡明化のために、ＣＤＭＡ２０００システムに対する特定の構成に対して本発明の種々の観点、実施形態および特徴を説明してきた。しかしながら、ここに記載されているＡＭＲモードおよびその他のモードをサポートするために、別のｃｄｍａシステムおよび標準規格が構成され、あるいは採用されてもよい。
【００６６】
上記の好ましい実施形態の説明は、当業者が本発明を形成または使用することを可能にするために記載されている。これらの実施形態に対する種々の修正は当業者に容易に明らかになり、ここに規定されている一般原理は発明力を使用せずに別の実施形態に適応されることができる。したがって、本発明はここに示されている実施形態に制限されるものではなく、ここに開示されている原理および新しい特徴に一致した広い技術的範囲に従う。
【図面の簡単な説明】
【図１】多くのユーザをサポートするスペクトル拡散通信システムの概略図。
【図２】Ｗ−ＣＤＭＡ標準規格に従ったＡＭＲデータ送信のための処理ブロック図。
【図３】ｃｄｍａ２０００標準規格に従ったＡＭＲデータ送信のための処理のブロック図。
【図４】順方向および逆方向リンクのそれぞれに関してサポートされたＡＭＲモードに対するフレームフォーマットの概略図。
【図５】順方向および逆方向リンクのそれぞれに関してサポートされたＡＭＲモードに対するフレームフォーマットの概略図。
【図６】ＡＭＲフレームを処理することのできる受信装置の１実施形態のブロック図。
【図１】
2004500765.tif 000016
【図２】
2004500765.tif 000017
【図３】
2004500765.tif 000018
【図４】
2004500765.tif 000019
【図５】
2004500765.tif 000020
【図６】
2004500765.tif 000021
【国際公開パンフレット】
2004500765.tif 000022
2004500765.tif 000023
2004500765.tif 000024
2004500765.tif 000025
2004500765.tif 000026
2004500765.tif 000027
2004500765.tif 000028
2004500765.tif 000029
2004500765.tif 000030
2004500765.tif 000031
2004500765.tif 000032
2004500765.tif 000033
2004500765.tif 000034
2004500765.tif 000035
2004500765.tif 000036
2004500765.tif 000037
2004500765.tif 000038
2004500765.tif 000039
2004500765.tif 000040
2004500765.tif 000041
2004500765.tif 000042
2004500765.tif 000043
2004500765.tif 000044
2004500765.tif 000045
2004500765.tif 000046
2004500765.tif 000047
2004500765.tif 000048
2004500765.tif 000049
2004500765.tif 000050
2004500765.tif 000051
2004500765.tif 000052
2004500765.tif 000053
2004500765.tif 000054
2004500765.tif 000055
【国際調査報告】
2004500765.tif 000056
2004500765.tif 000057